(57)【要約】【課題】  粉・粒体収容コンテナは移動性に優れていると共に積重することが可能であるので広い保管場所が不要であり、粉・粒体はコンテナ本体及びホッパ内に残留することなく排出することができるし、更にコンベヤ手段は着脱可能であるので収納性と取扱性に優れている粉・粒体移送分配システムを提供する。【解決手段】  粉・粒体収容コンテナ１は、上方が開放し、側面を下窄まりに形成したコンテナ本体３の下側にシャッタ部６により開閉可能な放出口４を設けた構成からなる。粉・粒体収容コンテナ１を搭載して粉・粒体を所定量毎に分配する粉・粒体分配装置１１は、支持台１２に設けられ、粉・粒体を収容するホッパ１３と、ホッパ１３の下側に設けられ、ストッパ部１５によって開閉可能な供給口１４と、ホッパ１３に設けたスクリューコンベヤ１６とから構成してある。【選択図】  図３
2006151420.tif 000002
【特許請求の範囲】
【請求項１】
上方が開放し、下側に開閉可能な放出口を有し、内部に粉・粒体を収容して移送可能な粉・粒体収容コンテナと、移送した該粉・粒体収容コンテナを支承して前記放出口から放出される粉・粒体を収容し、分配手段により該粉・粒体を所定量毎に分配する粉・粒体分配装置とから構成してなる粉・粒体の移送分配システム。
【請求項２】
粉・粒体を収容して移送する粉・粒体収容コンテナは、上方が開放し，側面を下窄まりに形成したコンテナ本体の下側に開閉手段によって開閉可能な放出口を設けた構成とし、移送した前記粉・粒体を分配する粉・粒体分配装置は、該粉・粒体収容コンテナを支承する支持台と、上方が開放し、側面を下窄まりに形成し、下側に開閉手段によって開閉可能な供給口を有する形状からなり、該支持台に設けられたホッパと、前記供給口に連設して該ホッパ又は前記支持台に設けられ、該供給口から排出する粉・粒体を適宜量毎に分配するコンベア手段とから構成してなる粉・粒体の移送分配システム。
【請求項３】
前記粉・粒体収容コンテナは、複数段に積重可能に構成してあることを特徴とする請求項１又は２記載の粉・粒体の移送分配システム。
【請求項４】
前記コンベア手段は、前記ホッパ又は支持台に対して着脱可能に構成してあることを特徴とする請求項２記載の粉・粒体の移送分配システム。
【発明の詳細な説明】
【技術分野】
【０００１】
本発明は、例えば粉状，粒状の肥料や農薬を工場から農家に移送し、使用量に応じて適宜量毎に分配するのに用いて好適な粉・粒体の移送分配システムに関する。
【背景技術】
【０００２】
粉・粒状の肥料・農薬等を生産者から消費者である農家に供給する場合、従来はフレコンパックと呼ぶ袋に工場で充填し、農業協同組合等の販売取扱事業者の倉庫に一旦保管した後、必要時期に応じて各農家に配送するようになっている。各農家は袋から粉・粒体を播種施肥機（コーンプランター）に移し替えて田畑に施肥し或いは散布するが、従来使用しているフレコンパックには容量が２０kｇ、５００kg、１，０００kgの各種があり、２０kｇの袋は手で運んで移し替えているが、重量のある袋の場合は、分配機を用いて必要量毎に播種施肥機に移し替えることが行われている。
【０００３】
従来の分配機には特許文献１に記載のものがある。この肥料分配機はホッパ部２と、このホッパ部２に起立状態で配設されたコンベア部３と、このコンベア部３の上端に連結された排出パイプ部４とから大略構成し、トラック５などの荷台５Ａに搭載して所望する個所に移動し、例えば公知の播種装置６における小分けされた小ホッパ６Ａにコンベア部３と排出パイプ部４によって肥料を分配するようにしたものである。
【特許文献１】実用新案登録第３０６８４２６号公報
【発明の開示】
【発明が解決しようとする課題】
【０００４】
上述した従来技術の肥料分配機１は、コンベア部３と排出パイプ部４をホッパ部２から上方に突出して配設しているため、移動時の安全性を十分に考慮しなければならず、分配作業の準備と終了に手間が掛かり作業効率が悪いという欠点、コンベア部４の下端側はホッパ部２に挿入した状態であるためホッパ部２の収容量が損なわれるという欠点及びコンベア部４で肥料を排出する方法ではホッパ部２の底側に肥料が残留してしまうという欠点がある。
【０００５】
また、排出パイプ部４はフレキシブルパイプ４Ａを介してコンベア部３に接続してあるが、肥料の分配時に排出パイプ部４には大きな脈動状の振動が生じるため、排出パイプ部４を支持している作業員に過大な負担が係るという欠点がある。
また、フレコンパックに収容した状態で倉庫に保管する場合、安定性が悪く荷崩れし易いために数段しか積重することができないことから、広い保管スペースを必要とする問題がある。
【０００６】
本発明は上述した従来技術の諸欠点に鑑みなされたもので、粉・粒体収容コンテナはコンベア手段等のない単体に構成してあるので移動性に優れており、粉・粒体は下側の放出口及び供給口から排出するので、コンテナ及びホッパ内に残留することもなく、また粉・粒体コンテナは複数段に積重可能であるので広い保管場所も不用であると共に荷崩れすることがなく安全性に優れており、かつ粉・粒体分配装置のコンベア手段は着脱可能であるので収納性に優れている粉・粒体の移送分配システムを提供することを目的とする。
【課題を解決するための手段】
【０００７】
上述した課題を解決するために構成された請求項１に係る本発明の手段は、上方が開放し、下側に開閉可能な放出口を有し、内部に粉・粒体を収容して移送可能な粉・粒体収容コンテナと、移送した該粉・粒体収容コンテナを支承して前記放出口から放出される粉・粒体を収容し、下方の開閉可能な供給口を介して分配手段により該粉・粒体を所定量毎に分配する粉・粒体分配装置とから構成したものからなる。
【０００８】
また、請求項２に係る本発明を構成する手段は、粉・粒体を収容して移送する粉・粒体収容コンテナは、上方が開放し，側面を下窄まりに形成したコンテナ本体の下側に開閉手段によって開閉可能な放出口を設けた構成とし、移送した前記粉・粒体を分配する粉・粒体分配装置は、該粉・粒体収容コンテナを支承する支持台と、
上方が開放し、側面を下窄まりに形成し、下側に開閉手段によって開閉可能な供給口を有する形状からなり、該支持台に設けられたホッパと、該ホッパの供給口に連設してホッパ又は前記支持台に設けられ、該供給口から排出する粉・粒体を適宜量毎に分配するコンベア手段とから構成したものからなる。
【０００９】
そして、前記粉・粒体収容コンテナは、複数段に積重可能に構成するとよい。
【００１０】
また、前記コンベア手段は、前記ホッパ又は支持台に対して着脱可能に構成するとよい。
【発明の効果】
【００１１】
本発明は以上詳述した如く構成したから、下記の諸効果を奏する。
（１）粉・粒体収容コンテナは、コンベア手段等のない単体に構成してあるので移動性及び取り扱い性に優れている。
（２）粉・粒体収容コンテナは下方の放出口から粉・粒体を放出し、また粉・粒体分配装置は下方の供給口から排出するので、コンテナ本体及びホッパ内に残留することなく全量を分配することができる。
（３）粉・粒体コンテナは複数段に積重可能であるので、広い保管場所も不用であると共に荷崩れすることがないので安全性に優れている。
（４）粉・粒体分配装置は、コンベア手段を着脱可能に構成してあるので収納性及び保管性に優れている。
【発明を実施するための最良の形態】
【００１２】
以下、本発明の実施の形態を図面に基づき詳述する。図１乃至図４は第１の実施の形態を示す。図において、１は粉・粒体を収容して移送する粉・粒体収容コンテナを示す。２は該粉・粒体収容コンテナ１を構成する枠体で、該枠体２は縦材２Ａ及び横材２Ｂを四角形に連結して構成してある。３は上方が開放したコンテナ本体で、該コンテナ本体３は下側が内向きに傾斜した前後の側板３Ａ、３Ａ及び左右の側板３Ｂ、３Ｂにより下窄まりの形状に形成したものからなり、コンテナ本体３の下端側には放出口４が形成してある。そして、コンテナ本体３は前記枠体２内に設けてある。また、５、５、・・は、積重するために前記枠体２の下端四隅に固着した逆Ｕ字状の係合片である。
【００１３】
６は前記放出口４を開閉する開閉手段としてのシャッタ部で、該シャッタ部６は前記コンテナ本体３の下端側に固着した一対のレール６Ａ、６Ａと、該レール６Ａ、６Ａに摺動可能に挿嵌され、放出口４を開閉するスライド板６Ｂと、該スライド板６Ｂに設けた取っ手６Ｃとから構成してある。
【００１４】
１１は農家が所有或いは保管し、前記粉・粒体収容コンテナ１を搭載する粉・粒体分配装置を示す。１２は該粉・粒体分配装置１１を構成する支持台で、該支持台１２は４本の脚材１２Ａ、１２Ａ、・・と、該脚材１２Ａ、１２Ａ、・・間に上端に架設した上横材１２Ｂ、１２Ｂ、・・及び脚材１２Ａ、１２Ａの下側寄りに位置して架設した下横材１２Ｃ、１２Ｃ、・・と、該上、下横材１２Ｂ、１２Ｃ間に連結した補強材１２Ｄ、１２Ｄと、前後の下横材１２Ｃ、１２Ｃ間に架設し、フォークリフトのフォークを挿入するための一対のフォーク挿入材１２Ｅ、１２Ｅとから構成してある。
【００１５】
１３は前記支持台１２に設けたホッパで、該ホッパ１３は前後の傾斜側板１３Ａ、１３Ａと左右の傾斜板１３Ｂ、１３Ｂとにより、上方が開放した下窄まりの逆四角錐状に構成してあり、前側傾斜板１３Ａの下端側には四角形に開口する供給口１４が形成してある。そして、上述の構成からなるホッパ１３は、支持台１２に嵌合した状態で組み付けてある。
【００１６】
１５は前記供給口１４を開閉自在に閉塞する開閉手段としてのストッパ部で，該ストッパ部１５は前側傾斜板１３Ａに設けた略Ｌ字状の一対のガイド材１５Ａ，１５Ａと，該ガイド材１５Ａ，１５Ａ間に傾斜板１３Ａに沿って上下方向に摺動可能に挿嵌した閉塞板１５Ｂと、該閉塞板１５Ｂに設けた引き手１５Ｃとから構成してある。
【００１７】
更に、１６はホッパ１３内の粉・粒体を播種施肥機（コーンプランター）に分配供給するためのコンベア手段としてのスクリューコンベヤを示す。１７は該スクリューコンベヤ１６を構成する送出筒で，該送出筒１７は基端側が接続部１７Ａになり、先端側にはノズル１７Ｂが下向きに突設してある。１８は該送出筒１７内に回転可能に挿装したコンベヤスクリューで、該コンベヤスクリュー１８は電動モータ１９Ａ、プーリー１９Ｂ、１９Ｃ、伝動ベルト１９Ｄ等によって構成され、送出筒１７の先端側に搭載した駆動部１９によって回転駆動される。
【００１８】
２０は送出筒１７を前記ホッパ１３に着脱可能に接続するための連結支持体を示す。該連結支持体２０は先端が開口し、筒壁に上向きの流入口２１Ａを形成した有底の筒体からなり、先端側が前記送出筒１７の接続部１７Ａに挿脱可能に挿嵌する支持筒２１と、上縁前端側にホッパ１３に係合する係止片２２Ａ1（図示せず）、上縁下側にホッパ１３の下端に係合する係止用切込み２２Ａ2を夫々形成した一対の側板２２Ａ、２２Ａ、該側板２２Ａ，２２Ａ間に連結した前板２２Ｂ及び後板２２Ｃによって枠状に形成し、流入口２１Ａを四面から囲繞するように支持筒２１に突設した連通誘導部２２とから構成してある。そして、連結支持体２０は、ホッパ１３に係脱可能に係合するようになっている。
【００１９】
本実施の形態からなる粉・粒体分配装置１１は上述の構成からなるもので、前述した粉・粒体収容コンテナ１と組み合わせて使用することにより、粉・粒体の移送分配システムを構成する。以下、このシステムについて説明する。先ず、例えば肥料工場で生産した肥料は、粉・粒体収容コンテナ１に投入し、トラック等の運搬手段により農業協同組合等の販売取扱事業者に移送する。粉・粒体収容コンテナ１には積重するための係合片５，５、・・が設けてあるから、販売取扱事業者は保管倉庫内に複数の粉・粒体収容コンテナ１、１、・・を複数段に積層することが可能であり、広い保管場所を必要としないと共に、安定性がよいので安全に保管することができる。
【００２０】
販売取扱事業者は農家が肥料を必要とする時期になると粉・粒体収容コンテナ１を運搬し、農家に備えてある粉・粒体分配装置１１上にフォークリフト等の作業機により搭載する。粉・粒体収容コンテナ１は係合片５，５、・・によって粉・粒体分配装置１１の支持台１２上に安定良く支持される。しかる後、コンテナ本体３のシャッタ部６を操作して放出口４を開放し、コンテナ本体３内の粉・粒体を下方に位置するホッパ１３内に落下させる。そして、シャッタ部６を操作することにより、全量移すことも必要量だけ移すことも可能である。
【００２１】
粉・粒体の投入が終了したら、送出筒１７のノズル１７Ｂを供給先の播種施肥機や容器等の上方に位置させ、スクリュ−コンベヤ１６を始動すると共にストッパ部１５の閉塞板１５Ｂを操作して供給口１４を開放させる。これにより、ホッパ１３内の粉・粒体は連結支持体２０内に落下し、コンベヤスクリュー１８によって掻き揚げられてノズル１７Ｂから播種施肥機に投入することができる。空になった粉・粒体収容コンテナ１は、回収して繰り返し使用することができる。また、スクリューコンベヤ１６は連結支持体２０から取り外し、連結支持体２０はホッパ１３から取り外して収納することにより、収納性及び保管性に優れている。
【００２２】
本実施の形態によれば、粉・粒体はコンテナ本体３及びホッパ１３の下側に設けた放出口４及び供給口１４から落下させる構成にしたから、粉・粒体を残留することなく完全に効率よく排出し、分配することができる。また、粉・粒体収容コンテナ１は粉・粒体分配装置１１に搭載することが可能であるばかりでなく、粉・粒体収容コンテナ１同士を積重することが可能であるから、倉庫に保管する場合に広い収納スペースを必要としないし、安定性に優れている。
【００２３】
なお、本実施の形態ではコンベヤ手段として、スクリュ−コンベヤ１６を用いたが、ベルトコンベヤ等の他の手段を用いてもよいものである。
【００２４】
図５は第２の実施の形態に係る粉・粒体収容コンテナを示す。該粉・粒体収容コンテナ３１の特徴は、底板３２Ａが平坦なコンテナ本体３２の場合、底板３２Ａに複数、実施の形態では３つの放出口３３，３３，３３を列設し、該各放出口３３をシャッタ３４によって開閉可能に構成したことにある。このように構成することにより、粉・粒体収容コンテナ３１内の粉・粒体を残留することなく放出することができる。
【図面の簡単な説明】
【００２５】
【図１】図１乃至図４は本発明の第１の実施の形態に係り、図１は粉・粒体収容コンテナの正面図である。
【図２】粉・粒体分配装置の正面図である。
【図３】粉・粒体分配装置に粉・粒体収容コンテナを搭載して示す断面図である。
【図４】ホッパとスクリュウコンベヤの接続状態を示す粉・粒体分配装置の部分拡大断面図である。
【図５】第２の実施の形態に係る粉・粒体収容コンテナの断面図である。
【符号の説明】
【００２６】
１，３１        粉・粒体収容コンテナ
３、３２      コンテナ本体
４、３３      放出口
６          シャッタ部(開閉手段)
１１        粉・粒体分配装置
１２        支持台
１３        ホッパ
１４        供給口
１５        ストッパ部（開閉手段）
１６        スクリューコンベヤ（コンベヤ手段）
【図１】
2006151420.tif 000003
【図２】
2006151420.tif 000004
【図３】
2006151420.tif 000005
【図４】
2006151420.tif 000006
【図５】
2006151420.tif 000007